(57)【特許請求の範囲】
【請求項１】
複数の端子収容部が設けられたハウジングを備えたコネクタにおいて、
前記ハウジングは、該ハウジングの両側壁から突出し、前記端子収容部の長手方向に沿って延在した一対のレール部と、
前記両側壁から、該ハウジングの下壁よりも下方まで立設され、コ字状に形成された一対のアーム部と、
前記下壁から突出したストッパー部と、を備え、
同一構造の前記ハウジングを上下に積層した際に、下側の前記ハウジングの前記一対のレール部が、上側の前記ハウジングの前記一対のアーム部に挟まれ、この状態で上側の前記ハウジングを下側の前記ハウジングに対して前方にスライドすることで、上側の前記ハウジングの前記ストッパー部が、下側の前記ハウジングの上壁の後端面に当接されることを特徴とするコネクタ。
【請求項２】
前記ハウジングの前記下壁には係止部が設けられ、
前記ハウジングの前記上壁には第１係止受け部が設けられ、
同一構造の前記ハウジングを上下に積層した際に、上側の前記ハウジングの前記係止部が、下側の前記ハウジングの前記第１係止受け部に係止することにより、上側の前記ハウジングにおける下側の前記ハウジングの前記後端面から離れる方向への移動が規制されることを特徴とする請求項１記載のコネクタ。
【請求項３】
前記係止部は前記下壁に設けられた突起であり、
前記第１係止受け部よりも前記後端側には、前記第１係止受け部に向かうに従って、前記上壁の外面に近付く第１案内面が設けられていることを特徴とする請求項２記載のコネタ。
【請求項４】
上方に突出し、前記両側壁に垂直な方向に延在した第１リブと、
下方に突出し、前記両側壁に垂直な方向に間隔をあけて前記長手方向に沿って延在した一対の第２リブと、が設けられ、
同一構造の前記ハウジングを上下に積層した際に、前記第１リブが前記一対の第２リブに当接されることを特徴とする請求項１乃至請求項３のうちいずれか一項記載のコネクタ。
【請求項５】
請求項１乃至請求項４のいずれか一項記載の１つ以上のコネクタと、
該コネクタの下方に積層された板状の支持部材と、
互いに積層された前記コネクタ及び前記支持部材の外周に巻かれる結束部材と、を備え、
前記支持部材は、その厚み寸法が前記レール部の上下方向の寸法と同じに形成され、かつ、その幅寸法が前記一対のレール部における前記両側壁に垂直な方向の寸法と同じに形成されており、
前記支持部材が上側の前記ハウジングの前記一対のアーム部に挟まれ、前記ハウジングの前記ストッパー部が前記支持部材の長手方向の後端面に当接され、前記結束部材が互いに積層された前記コネクタ及び前記支持部材の外周に巻かれて、少なくとも１つ以上の前記コネクタが前記支持部材に固定されることを特徴とするコネクタの支持部材への固定構造。
【請求項６】
請求項２乃至請求項４のいずれか一項記載の１つ以上のコネクタと、
該コネクタの下方に積層された板状の支持部材と、
互いに積層された前記コネクタ及び前記支持部材の外周に巻かれる結束部材と、を備え、
前記支持部材は、その厚み寸法が前記レール部の上下方向の寸法と同じに形成され、かつ、その幅寸法が前記一対のレール部における前記両側壁に垂直な方向の寸法と同じに形成されており、
前記支持部材は、前記ハウジングの前記係止部に係止して、前記ハウジングにおける前記支持部材の長手方向の後端面から離れる方向への移動を規制する第２係止受け部と、該第２係止受け部よりも前記後端側に設けられ、該第２係止受け部に向かうに従って、前記支持部材の上面に近付く第２案内面と、を有し、
前記支持部材が上側の前記ハウジングの前記一対のアーム部に挟まれ、前記ハウジングの前記ストッパー部が前記支持部材の前記後端面に当接され、前記係止部が前記第２係止受け部に係止され、
前記結束部材が互いに積層された前記コネクタ及び前記支持部材の外周に巻かれて、少なくとも１つ以上の前記コネクタが前記支持部材に固定されることを特徴とするコネクタの支持部材への固定構造。
【発明の詳細な説明】
【技術分野】
【０００１】
本発明は、端子収容部が設けられたハウジングを備えたコネクタ及び、コネクタの支持部材への固定構造に関する。
【０００２】
図７は、従来のコネクタの支持部材への固定構造を示す側面図である。図８は、図７に示されたコネクタの支持部材への固定構造の分解斜視図である。図９は、図７に示されたコネクタをブラケットに固定する手順を示す説明図である。図７、図８に示すように、コネクタの支持部材への固定構造１１０は、複数の端子収容部１０３が設けられたハウジング１０２を有し、互いに積層された２つのコネクタ１０１と、該２つのコネクタ１０１が固定される支持部材としてのブラケット１０４と、結束部材としてのバンドクランプ１０５と、を備えている。２つのコネクタ１０１それぞれに設けられた２つのハウジング１０２は同一形状である。上記ブラケット１０４は金属からなり板状に形成されている。このブラケット１０４は車体の一部である。
【０００３】
上述した２つのコネクタ１０１及びブラケット１０４は、図９に示すように、２つのコネクタ１０１とブラケット１０４とを互いに積層し、これら２つのコネクタ１０１及びブラケット１０４の外周にバンドクランプ１０５が巻かれて固定されていた。
【０００４】
しかしながら、コネクタの支持部材への固定構造１１０には以下に示す問題があった。即ち、各コネクタ１０１は、図１０に示すように、各ハウジング１０２を互いに固定するための固定手段を備えていないので、互いに積層された２つのコネクタ１０１及びブラケット１０４にバンドクランプ１０５を巻き付ける際に、２つのコネクタ１０１が積層方向（上下方向）Ｚ、各端子収容部１０３の長手方向（前後方向）Ｙ（図８に示す）、各端子収容部１０３が幅方向（左右方向）Ｘに位置ずれしてしまい、作業性が悪いという問題があった。
【０００５】
そこで、前述した問題の対策として本発明の出願人によって、図１１に示すように、互いに積層された２つのコネクタ２２０、２３０のうち一方の底面２２０ａに第１係止凸部２２２を設け、他方の上面２３０ｃに第１係止凸部２２２に係止する第１係止凹部２３２を設けるとともに、一方の両側面２２０ｂに一対の第２係止凸部２２３を設け、他方の両側面２３０ｂに第２係止凹部２３３を設け、かつ、一方の両側面２２０ｂに突起２２４を設け、他方には、突起２２４に係止する孔部２３４ａを有する係合片２３４を設けた合体コネクタ２０１が提案されている（特許文献１参照）。図１１は、従来の合体コネクタの合体前の状態を示す斜視図である。
【０００６】
上述した特許文献１に記載の合体コネクタ２０１は、第１係止凸部２２２及び第１係止凹部２３２、第２係止凸部２２３及び第２係止凹部２３３、並びに、突起２２４及び係合片２３４、の係止によって、２つのコネクタ２２０、２３０を位置決めし、予めコネクタ２２０、２３０同士を固定しておくことで、合体コネクタ２０１を、例えば車体の一部であるブラケット（図示しない）に固定する際の作業性の向上を図っていた。
【先行技術文献】
【特許文献】
【０００７】
【特許文献１】特開平１１−６７３２７号公報
【発明の開示】
【発明が解決しようとする課題】
【０００８】
しかしながら、上述した特許文献１に記載の合体コネクタ２０１には、以下に示す問題があった。即ち、合体コネクタ２０１における係合片２３４の突起２２４への係止力（嵌合力）にばら付きが生じ易く、コネクタ２２０、２３０合体後においても嵌合力が不十分であった。このために、コネクタ２２０、２３０同士ががたつき、該コネクタ２２０、２３０同士が位置決めされない虞れがあるという問題があった。
【０００９】
本発明は、上記課題に係る問題を解決することを目的としている。即ち、本発明は、同一構造のハウジングを上下に積層する際に、上側のハウジングを下側のハウジングに対してスライドさせる容易な作業で、互いに積層されたハウジング同士を位置決めすることができるコネクタ及びコネクタの支持部材への固定構造を提供することを目的とする。
【課題を解決するための手段】
【００１０】
請求項１に記載の本発明は、複数の端子収容部が設けられたハウジングを備えたコネクタにおいて、前記ハウジングは、該ハウジングの両側壁から突出し、前記端子収容部の長手方向に沿って延在した一対のレール部と、前記両側壁から、該ハウジングの下壁よりも下方まで立設され、コ字状に形成された一対のアーム部と、前記下壁から突出したストッパー部と、を備え、同一構造の前記ハウジングを上下に積層した際に、下側の前記ハウジングの前記一対のレール部が、上側の前記ハウジングの前記一対のアーム部に挟まれ、この状態で上側の前記ハウジングを下側の前記ハウジングに対して前方にスライドすることで、上側の前記ハウジングの前記ストッパー部が、下側の前記ハウジングの上壁の後端面に当接されることを特徴とするレバー嵌合式コネクタである。
【００１１】
請求項２に記載の本発明は、請求項１記載の本発明において、前記ハウジングの前記下壁には係止部が設けられ、前記ハウジングの前記上壁には第１係止受け部が設けられ、同一構造の前記ハウジングを上下に積層した際に、上側の前記ハウジングの前記係止部が、下側の前記ハウジングの前記第１係止受け部に係止することにより、上側の前記ハウジングにおける下側の前記ハウジングの前記後端面から離れる方向への移動が規制されることを特徴とする。
【００１２】
請求項３に記載の本発明は、請求項２記載の本発明において、前記係止部は前記下壁に設けられた突起であり、前記第１係止受け部よりも前記後端側には、前記第１係止受け部に向かうに従って、前記上壁の外面に近付く第１案内面が設けられていることを特徴とする。
【００１３】
請求項４に記載の本発明は、請求項１乃至請求項３のうちいずれか一項に記載のコネクタにおいて、上方に突出し、前記両側壁に垂直な方向に延在した第１リブと、下方に突出し、前記両側壁に垂直な方向に間隔をあけて前記長手方向に沿って延在した一対の第２リブと、が設けられ、同一構造の前記ハウジングを上下に積層した際に、前記第１リブが前記一対の第２リブに当接されることを特徴とする。
【００１４】
請求項５に記載の本発明は、請求項１乃至請求項４のいずれか一項記載の１つ以上のコネクタと、該コネクタの下方に積層された板状の支持部材と、互いに積層された前記コネクタ及び前記支持部材の外周に巻かれる結束部材と、を備え、前記支持部材は、その厚み寸法が前記レール部の上下方向の寸法と同じに形成され、かつ、その幅寸法が前記一対のレール部における前記両側壁に垂直な方向の寸法と同じに形成されており、前記支持部材が上側の前記ハウジングの前記一対のアーム部に挟まれ、前記ハウジングの前記ストッパー部が前記支持部材の長手方向の後端面に当接され、前記結束部材が互いに積層された前記コネクタ及び前記支持部材の外周に巻かれて、少なくとも１つ以上の前記コネクタが前記支持部材に固定されることを特徴とするコネクタの支持部材への固定構造である。
【００１５】
請求項６に記載の本発明は、請求項２乃至請求項４のいずれか一項記載の１つ以上のコネクタと、該コネクタの下方に積層された板状の支持部材と、互いに積層された前記コネクタ及び前記支持部材の外周に巻かれる結束部材と、を備え、前記支持部材は、その厚み寸法が前記レール部の上下方向の寸法と同じに形成され、かつ、その幅寸法が前記一対のレール部における前記両側壁に垂直な方向の寸法と同じに形成されており、前記支持部材は、前記ハウジングの前記係止部に係止して、前記ハウジングにおける前記支持部材の長手方向の後端面から離れる方向への移動を規制する第２係止受け部と、該第２係止受け部よりも前記後端側に設けられ、該第２係止受け部に向かうに従って、前記支持部材の上面に近付く第２案内面と、を有し、前記支持部材が上側の前記ハウジングの前記一対のアーム部に挟まれ、前記ハウジングの前記ストッパー部が前記支持部材の前記後端面に当接され、前記係止部が前記第２係止受け部に係止され、前記結束部材が互いに積層された前記コネクタ及び前記支持部材の外周に巻かれて、少なくとも１つ以上の前記コネクタが前記支持部材に固定されることを特徴とするコネクタの支持部材への固定構造である。
【発明の効果】
【００１６】
請求項１記載の本発明によれば、複数の端子収容部が設けられたハウジングを備えたコネクタにおいて、前記ハウジングは、該ハウジングの両側壁から突出し、前記端子収容部の長手方向に沿って延在した一対のレール部と、前記両側壁から、該ハウジングの下壁よりも下方まで立設され、コ字状に形成された一対のアーム部と、前記下壁から突出したストッパー部と、を備え、同一構造の前記ハウジングを上下に積層した際に、下側の前記ハウジングの前記一対のレール部が、上側の前記ハウジングの前記一対のアーム部に挟まれ、上側の前記ハウジングの前記ストッパー部が、下側の前記ハウジングの上壁の後端面に当接されるので、上側のハウジングの一対のアーム部が、下側のハウジングの一対のレール部を挟み、上側のハウジングを下側のハウジングに対してスライドさせる容易な作業で、上側のハウジングのストッパー部を下側のハウジングの上壁の後端面に当接されることとなり、上下に積層されたハウジングを位置決めすることができるコネクタを提供することができる。
【００１７】
請求項２記載の本発明によれば、前記ハウジングの前記下壁には係止部が設けられ、前記ハウジングの前記上壁には第１係止受け部が設けられ、同一構造の前記ハウジングを上下に積層した際に、上側の前記ハウジングの前記係止部が、下側の前記ハウジングの前記第１係止受け部に係止することにより、上側の前記ハウジングの下側の前記ハウジングの前記後端面から離れる方向への移動を規制するので、上側のハウジングをスライドさせるのみの作業で、新たに作業を追加せずとも、上側の前記ハウジングにおける、下側の前記ハウジングの前記後端面から離れる方向への移動を規制することができる。
【００１８】
請求項３記載の本発明によれば、前記係止部は前記下壁に設けられた突起であり、前記第１係止受け部よりも前記後端側には、前記第１係止受け部に向かうに従って、前記上壁の外面に近付く第１案内面が設けられているので、係止部が第１案内面によって第１係止受け部に案内されることにより、係止部が第１係止受け部に確実に係止される。また、第１案内面が設けられていることにより、上側のハウジングが下側のハウジングに対して小さな力でスライドされることとなり、作業性の向上を図ることができる。
【００１９】
請求項４記載の本発明によれば、上方に突出し、前記両側壁に垂直な方向に延在した第１リブと、下方に突出し、前記両側壁に垂直な方向に間隔をあけて前記長手方向に沿って延在した一対の第２リブと、が設けられ、同一構造の前記ハウジングを上下に積層した際に、前記第１リブが前記一対の第２リブに当接されるので、互いに積層された各ハウジングにおける前記両側壁に垂直な方向の傾きが抑制され、互いに積層された上側のハウジング及び下側のハウジングのがたつきを防止することができる。また、第１リブと一対の第２リブとの接触面積が小さくなり、上側のハウジングが下側のハウジングに対して小さな力でスライドされるので、作業性の向上を図ることができる。また、同一構造の前記ハウジングを上下に積層した際に、第１リブと一対の第２リブとは互いに近付く方向に突出していることとなり、第１リブと一対の第２リブとのうちいずれか一方のみしかない場合よりも低背化、即ちハウジングの小型化を図ることができる。
【００２０】
請求項５記載の本発明によれば、請求項1乃至請求項４のいずれか一項記載の１つ以
上のコネクタと、該コネクタの下方に積層された板状の支持部材と、互いに積層された前記コネクタ及び前記支持部材の外周に巻かれる結束部材と、を備え、前記支持部材は、その厚み寸法が前記レール部の上下方向の寸法と同じに形成され、かつ、その幅寸法が前記一対のレール部における前記両側壁に垂直な方向の寸法と同じに形成されており、前記支持部材が上側の前記ハウジングの前記一対のアーム部に挟まれ、前記ハウジングの前記ストッパー部が前記支持部材の長手方向の後端面に当接され、前記結束部材が互いに積層された前記コネクタ及び前記支持部材の外周に巻かれて、少なくとも１つ以上の前記コネクタが前記支持部材に固定されるので、支持部材をハウジングの一対のアーム部で挟み、ハウジングを支持部材に対してスライドさせる容易な作業で、上下に積層された、最も下方に位置するコネクタと支持部材とを位置決めすることができるコネクタの支持部材への固定構造を提供することができる。
【００２１】
請求項６記載の本発明によれば、請求項２乃至請求項４のいずれか一項記載の１つ以上のコネクタと、該コネクタの下方に積層された板状の支持部材と、互いに積層された前記コネクタ及び前記支持部材の外周に巻かれる結束部材と、を備え、前記支持部材は、その厚み寸法が前記レール部の上下方向の寸法と同じに形成され、かつ、その幅寸法が前記一対のレール部における前記両側壁に垂直な方向の寸法と同じに形成されており、前記支持部材は、前記ハウジングの前記係止部に係止して、前記ハウジングにおける前記支持部材の長手方向の後端面から離れる方向への移動を規制する第２係止受け部と、該第２係止受け部よりも前記後端側に設けられ、該第２係止受け部に向かうに従って、前記支持部材の上面に近付く第２案内面と、を有し、前記支持部材が上側の前記ハウジングの前記一対のアーム部に挟まれ、前記ハウジングの前記ストッパー部が前記支持部材の前記後端面に当接され、前記係止部が前記第２係止受け部に係止され、前記結束部材が互いに積層された前記コネクタ及び前記支持部材の外周に巻かれて、少なくとも１つ以上の前記コネクタが前記支持部材に固定されるので、支持部材をハウジングの一対のアーム部で挟み、ハウジングを支持部材に対してスライドさせる容易な作業で、上下に積層された、最も下方に位置するコネクタを支持部材に対して該支持部材の厚み方向、長手方向及び幅方向に対して位置決めすることができるとともに、第２案内面が設けられているので、ハウジングの係止部が支持部材の第２案内面によって第２係止受け部に案内されることにより、ハウジングの係止部が支持部材の第２係止受け部に確実に係止されるとともに、ハウジングが支持部材に対して小さな力でスライドされるので、作業性の向上を図ったコネクタの支持部材への固定構造を提供することができる。
【図面の簡単な説明】
【００２２】
【図１】本発明にかかるコネクタのブラケットへの固定構造の一実施形態を示す斜視図である。
【図２】図１に示された本発明のコネクタを示す斜視図である。
【図３】図１中のＩ−Ｉ線に沿う断面図である。
【図４】図３中のＩＩ−ＩＩ線に沿う断面図である。
【図５】図１に示されたコネクタ、ブラケット及びバンドクランプの分解斜視図である。
【図６】図１に示されたコネクタをブラケットに固定する手順を示す説明図であり（ａ）は、１つのコネクタがブラケットに固定された状態を示す図であり、（ｂ）は、２つのコネクタ及びブラケットが互いに固定された状態を示す図であり、（ｃ）は、２つのコネクタとブラケットとの外周にバンドクランプが巻き付けられる様子を示す図であり、（ｄ）は、２つのコネクタとブラケットとの外周にバンドクランプが巻き付けられた状態を示す図である。
【図７】従来のコネクタの支持部材への固定構造を示す側面図である。
【図８】図７に示されたコネクタの支持部材への固定構造の分解斜視図である。
【図９】図７に示されたコネクタをブラケットに固定する手順を示す説明図であり（ａ）は、１つのコネクタがブラケットに固定された状態を示す図であり、（ｂ）は、２つのコネクタ及びブラケットが互いに固定された状態を示す図であり、（ｃ）は、２つのコネクタとブラケットとの外周にバンドクランプが巻き付けられる様子を示す図であり、（ｄ）は、２つのコネクタとブラケットとの外周にバンドクランプが巻き付けられた状態を示す図である。
【図１０】従来のコネクタの支持部材への固定構造の問題点を説明するための図である。
【図１１】従来の合体コネクタの合体前の状態を示す斜視図である。
【発明を実施するための形態】
【００２３】
本発明の一実施の形態にかかるコネクタ、及び、コネクタの支持部材への固定構造を図１ないし図６を参照して説明する。
【００２４】
上記コネクタの支持部材への固定構造１０は、図１に示すように、少なくとも１つのコネクタ１（図示例では２つ）と、車体の一部であり、該コネクタ１を固定するための支持部材としてのブラケット２と、コネクタ１をブラケット２に固定するためのバンドクランプ３と、を備えている。即ち、コネクタの支持部材への固定構造１０は、少なくとも１つのコネクタ１を車体に固定するための構造である。バンドクランプ３は、特許請求の範囲に記載された「結束部材」に相当する。
【００２５】
上記コネクタ１は、複数の電線４（図５に示す）の端末にそれぞれ取り付けられた複数の雌端子部同士を互いに電気接続するものである。このコネクタ１は、図２に示すように、複数の雄端子部５１を有するバスバ５（図３に示す）と、各雄端子部５１をそれぞれ収容する複数の端子収容部６１が設けられたハウジング６と、を備えている。このコネクタ１は図示例では２つ設けられ、２つのコネクタ１は互いに積層される。即ち、２つのコネクタ１それぞれのハウジング６は互いに積層される。
【００２６】
上記バスバ５は、図３に示すように、バスバ本体５０と、複数の雄端子部５１と、を備えている。このバスバ５は、金属板にプレス加工が施されることにより、長方形の板状のバスバ本体５０と、該バスバ本体５０の縁から延設され、各電線４の端末に取り付けられた雌端子と電気接続する複数の雄端子部５１と、が形成されて得られたものである。上記複数の雄端子部５１は、棒状に形成されており、互いに間隔をあけて並列に並べられている。
【００２７】
また、本明細書では、各端子収容部６１の長手方向を前後方向Ｙと示し、複数のハウジング６が積層される方向を上下方向Ｚと示し、前後方向Ｙと上下方向Ｚとの双方向に対して直交する方向であり、ハウジング６に設けられた一対の側壁７に垂直な方向を左右方向Ｘと示す。また、上下方向Ｚにおける紙面方向の上側を「上」と表現し、この上に対して紙面方向の下側を「下」と表現する。また、前後方向Ｙにおける各端子収容部６１の後述する開口部６０ａ側を「前」と表現し、この前に対して開口部６０ａ反対側を「後」と表現する。
【００２８】
上記２つのハウジング６は合成樹脂で構成されている。これら２つのハウジング６は、図２に示すように、互いに同一形状である。上記各ハウジング６は、左右方向Ｘに対向する一対の側壁７と、該一対の側壁７を連結し、上下方向Ｚに対向する下壁８と、上壁９と、によって略箱型に形成されたハウジング本体６０と、該ハウジング本体６０に取り付けられるスペーサ１１と、を備えている。
【００２９】
上記ハウジング本体６０には、図３に示すように、複数の雄端子部５１それぞれを収容する複数の端子収容部６１と、該複数の端子収容部６１に連通し、バスバ本体５０を収容するバスバ収容部６２と、が設けられている。上記複数の端子収容部６１は下壁８と上壁９とを連結し、左右方向Ｘに間隔をあけて設けられた複数の隔壁１２によって区画されることで形成されている。即ち、複数の端子収容部６１は左右方向Ｘに並んでいる。また、複数の端子収容部６１とバスバ収容部６２とは前後方向Ｙに沿って並んでおり、各端子収容部６１のバスバ収容部６２の反対側には開口部６０ａが形成されている。上記各端子収容部６１の内面には、前述した電線４に接続された雌端子に係止するランス１３が設けられている。このランス１３が雌端子に係止すると、電線４が引っ張られた際においても、電線４に接続された雌端子が端子収容部６１から抜け出ることが防止される。
【００３０】
上記一対の側壁７には、図１に示すように、一対のレール部７１と、一対のアーム部７２と、が設けられている。これら一対のレール部７１及び一対のアーム部７２は、前後方向Ｙのバスバ収容部６２側に設けられている。また、これら一対のレール部７１及び一対のアーム部７２は上下方向Ｚに並ぶ位置に設けられ、各レール部７１が各アーム部７２よりも上方に設けられている。前記一対の側壁７は、特許請求の範囲に示された「両側壁」に相当する。
【００３１】
上記一対のレール部７１は、両側壁７の外面から突出し、前後方向Ｙに沿って延在している。各レール部７１は各側壁７の上端部に設けられている。
【００３２】
上記一対のアーム部７２は、両側壁７の外面から突出した一対の第１水平部７３と、該各第１水平部７３から下方に向かって立設された一対の立設部７４と、該一対の立設部７４から互いに近付く方向に向かって突出し、一対の第１水平部７３と平行な一対の第２水平部７５と、によってコ字状に形成されている。各アーム部７２は、第１水平部７３が各側壁７の上下方向Ｚの中央部に設けられ、第２水平部７５は下壁８よりも下方に位置している。上記各第１水平部７３の内面における左右方向Ｘの寸法は、各レール部７１と略等しい。
【００３３】
２つのハウジング６を上下に積層した際には、下側のハウジング６の一対のレール部７１が、上側のハウジング６の一対のアーム部７２に挟まれる。本明細書では、「下側のハウジング６の一対のレール部７１が上側のハウジング６の一対のアーム部７２に挟まれる」ことは、上側のハウジング６の一対のアーム部７２における各第１水平部７３と各第２水平部７５との間に下側のハウジング６の各レール部７１を位置付けることにより、一対のアーム部７２が、一対の立設部７４間で一対のレール部７１を挟むことをいう。下側のハウジング６の一対のレール部７１が、上側のハウジング６の一対のアーム部７２に挟まれることにより、上側のハウジング６は下側のハウジング６に対して前後方向Ｙにスライド自在であるとともに、上側のハウジング６は下側のハウジング６に対して上下方向Ｚ、左右方向Ｘに位置決めされる。
【００３４】
上記下壁８は、第１壁部８０と、該第１壁部８０に連なる第２壁部８１と、を備えている。第１壁部８０は前後方向Ｙの前方側に設けられ、第２壁部８１は第１壁部８０より後方側に設けられている。第１壁部８０と第２壁部８１との間には段差部８３が設けられており、第１壁部８０の外面は第２壁部８１より上方に位置している。
【００３５】
上記第１壁部８０には、その外面に一対の縦リブ８８が設けられている。上記一対の縦リブ８８は、左右方向Ｘに間隔をあけて設けられている。また、各縦リブ８８の長手方向Ｙの一端は前述した段差部８３に連なり、他端は第１壁部８０の前端部まで延在している。この縦リブ８８の頂部と第２壁部８１の外面とは略面一である。縦リブ８８は、特許請求の範囲に記載された「第２リブ」に相当する。
【００３６】
上記第２壁部８１には、左右方向Ｘに間隔をあけて設けられ、第２壁部８１の後端部から板状に立設された一対のストッパー部８４と、該第２壁部８１から突出した係止部８５と、が設けられている。即ち、一対のストッパー部８４は下壁８に設けられている。
【００３７】
上記係止部８５は第２壁部８１の中央に設けられている。また、係止部８５は、前述した一対のアーム部７２間に設けられている。この係止部８５には、第２壁部８１の外面に対して垂直な垂直面８６と、該垂直面８６の頂部から前方に向かって第２壁部８１の外面に近付く方向に傾斜する第１傾斜面８７と、が設けられている。
【００３８】
上記上壁９には、図３に示すように、スペーサ１１が挿入される挿入孔１１ａと、第１係止受け部９１と、第１案内面９２と、が設けられている。第１係止受け部９１の前方側には挿入孔１１ａが設けられ、後方側には第１案内面９２が設けられている。この挿入孔１１ａは上壁９に設けられた貫通孔である。挿入孔１１ａは左右方向Ｘの全長に亘って設けられている。
【００３９】
上記第１係止受け部９１は前方側が後方側よりも下方に位置した段差である。また、第１係止受け部９１は、上壁９の外面９ａに対して垂直である。この第１係止受け部９１は、前述した係止部８５の垂直面８６と平行である。この第１係止受け部９１は、２つのハウジング６を上下に積層した際には、上側のハウジング６に設けられた係止部８５に係止する。
【００４０】
なお、本明細書では、「上側のハウジング６の係止部８５が下側のハウジング６の第１係止受け部９１に係止する」ことは、上側のハウジング６に設けられた係止部８５の垂直面８６が、下側のハウジング６に設けられた第１係止受け部９１と対向し、上側ハウジング６が下側ハウジング６に対して後方にスライドされた際に、係止部８５の垂直面８６が第１係止受け部９１に当接することを意味する。即ち、係止部８５が第１係止受け部９１に係止することにより、上側のハウジング６が下側のハウジング６に対して後方に移動することが規制される。
【００４１】
上記第１案内面９２は、第１係止受け部９１に向かうに従って該上壁９の外面に近付くように傾斜している。即ち、第１係止受け部９１に向かうに従って上方に傾斜している。また、第１案内面９２は上壁９の後端面９ｂの一部を切り欠いている。上記上壁９の外面９ａとは、上壁９において最も上方に位置する面を意味し、２つのハウジング６を上下に積層した際に、上側のハウジング６の第２壁部８１の外面に当接される面である。
【００４２】
また、上側のハウジング６の係止部８５が下側のハウジング６の第１係止受け部９１に係止する際は、上側のハウジング６が下側のハウジング６に対して前方にスライドされるに従って、上側のハウジング６の係止部８５が下側のハウジング６の第１案内面９２に摺接され、係止部８５が第１係止受け部９１と第１案内面９２との間の上壁９の外面９ａ上に乗り上げるとともに、係止部８５が上壁９の外面９ａから離れる方向に撓み、そして、係止部８５が外面９ａを乗り越えることにより、係止部８５が撓む前の状態に復元し、係止部８５が第１係止受け部９１に係止する。係止部８５が第１係止受け部９１に係止した際に、係止部８５の垂直面８６と第１係止受け部９１とは対向している。
【００４３】
上記スペーサ１１には、ハウジング本体６０の挿入孔１１ａを塞ぐ、平面視が長方形状の塞ぎ部１４と、該塞ぎ部１４の内面から突出し、複数の端子収容部６１にそれぞれ収容される電線押え部１５（図３、図４に示す）と、該塞ぎ部１４の長辺方向Ｘの両端から立設し、ハウジング本体６０に設けられた一対の突起６３に係止する一対の取付部１６と、横リブ１７と、が設けられている。
【００４４】
上記横リブ１７は、塞ぎ部１４の外面から上方に突出し、該塞ぎ部１４長辺方向Ｘの全長に亘って設けられている。この横リブ１７の頂部は上壁９の外面９ａと面一である。横リブ１７は、特許請求の範囲に記載された「第１リブ」に相当する。また、横リブ１７は上方に突出していれば、上壁９に設けられていても良い。
【００４５】
この横リブ１７は、２つのハウジング６を上下に積層した際には、上側のハウジング６の一対の縦リブ８８に当接される。こうして、横リブ１７及び一対の縦リブ８８によって、上下に積層された２つのハウジング６の隙き間が埋められることとなり、ハウジング６における左右方向Ｘ、及び前後方向Ｙの傾きが抑制され、互いに積層された上側のハウジング６及び下側のハウジング６のがたつきを防止することができる。
【００４６】
上述した構成のコネクタ１は、バスバ５がハウジング本体６０内に収容された後、電線４に接続された雌端子が開口部６０ａから端子収容部６１に挿入されて収容される。各端子収容部６１に収容された各雌端子は、各雄端子部５１と嵌合して該雄端子部５１に電気接続される。最後に、スペーサ１１が挿入孔１１ａに挿入されて組み立てられる。
【００４７】
上記ブラケット２には、図５に示すように、後述するバンドクランプ３が巻かれる一対のくびれ部２１と、上方に積層されるハウジング６の係止部８５に係止する第２係止受け部２２と、第２案内面２３と、が設けられている。このブラケット２は略長方形状の板金である。また、ブラケット２はその厚み寸法がハウジング６に設けられたレール部７１の上下方向Ｚの寸法と同じに形成され、かつ、その幅寸法がハウジング６に設けられた一対のレール部７１の左右方向Ｙの寸法と同じに形成されている。また、このブラケット２は長辺方向Ｙの前端２ｃ（図５に示す）が車体に連なっている。即ち、ブラケット２は車体の一部である。ブラケット２は、特許請求の範囲に記載された「支持部材」に相当する。
【００４８】
上記くびれ部２１はブラケット２の短辺方向Ｘの両縁を切り欠いている。
【００４９】
上記第２係止受け部２２はブラケット２を貫通している。この第２係止部８５は、くびれ部２１よりも長辺方向Ｙの後端側に設けられている。第２係止受け部２２は、その後端側に垂直面２４を有している。この第２係止受け部２２は、ブラケット２にハウジング６を積層した際には、ハウジング６に設けられた係止部８５に係止する。なお、本実施形態では、第２係止受け部２２はブラケット２を貫通しているが、その後端側に垂直面２４を有していればブラケット２の上面２ａから凹に形成されていてもよい。
【００５０】
上記第２案内面２３は第２係止受け部２２よりも後端側に設けられている。第２係止受け部２２に向かうに従って該ブラケット２の上面２ａに近付くように傾斜している。即ち、第２係止受け部２２に向かうに従って上方に傾斜している。また、第２案内面２３はブラケット２の後端面２ｂの一部を切り欠いている。
【００５１】
上記バンドクランプ３は、帯状のバンド本体３１と、該バンド本体３１の帯長手方向の端部に設けられた結束部３２と、を備えている。この結束部３２にはバンド本体３１の先端を貫通孔３２ａが設けられている。また、結束部３２にはバンド本体３１の先端側が係止される。
【００５２】
次に、上述したコネクタ１（ハウジング６）をブラケット２に固定する手順について説明する。まず、ブラケット２の後端にハウジング６の前端を近付けて、ハウジング６の一対のアーム部７２によってブラケット２を挟み、この状態でハウジング６をブラケット２に対して前方にスライドし、ハウジング６の係止部８５をブラケット２の第２案内面２３に案内させて第２係止受け部２２に係止させるとともに、ハウジング６のストッパー部８４をブラケット２の後端面２ｂに当接させ、ハウジング６のブラケット２に対する上下方向Ｚ、前後方向Ｙ、及び左右方向Ｘへの移動を規制する。こうして、ハウジング６をブラケット２に固定する。
【００５３】
次に、上述した２つのコネクタ１（ハウジング６）を固定する手順について説明する。図６（ａ）に示すように、下側のハウジング６の後端に上側のハウジング６の前端を近付けて、上側のハウジング６の一対のアーム部７２によって下側のハウジング６の一対のレール部７１を挟み、この状態で上側のハウジング６を下側のハウジング６に対して前方にスライドし、上側のハウジング６の係止部８５を、上側のハウジング６の第１案内面９２に案内させて第１係止受け部９１に係止させるとともに、上側のハウジング６のストッパー部８４を下側のハウジング６の上壁９の後端面９ｂに当接させ、図６（ｂ）に示すように、上側のハウジング６の下側のハウジング６に対する上下方向Ｚ、前後方向Ｙ、及び左右方向Ｘへの移動を規制する。こうして、上側のハウジング６を、ブラケット２に固定された下側のハウジング６に固定する。
【００５４】
最後に、図６（ｃ）に示すように、互いに固定されたハウジング６及びブラケット２の外周に、バンド本体３１を巻き付けて、バンド本体３１の先端を結束部３２に係止する。この際、バンド本体３１をブラケット２のくびれ部２１に巻き付ける。こうすることにより、バンド本体３１（バンドクランプ３）が支持部材２の前後方向Ｙに動かされることがない。こうして、図６（ｄ）に示すように、ハウジング６の支持部材２への固定構造を組み立てる。
【００５５】
上述した実施形態によれば、ハウジング６は、該ハウジング６の両側壁７から突出し、端子収容部６１の長手方向に沿って延在した一対のレール部７１と、両側壁７から、該ハウジング６の下壁８よりも下方まで立設され、コ字状に形成された一対のアーム部７２と、下壁８から突出したストッパー部８４と、を備え、同一構造のハウジング６を上下に積層した際に、下側のハウジング６の一対のレール部７１が、上側のハウジング６の一対のアーム部７２に挟まれ、上側のハウジング６のストッパー部８４が、下側のハウジング６の上壁９の後端面９ｂに当接されるので、同一構造のハウジング６を上下に積層した際に、上側のハウジング６の一対のアーム部７２が、下側のハウジング６の一対のレール部７１を挟み、上側のハウジング６を下側のハウジング６に対してスライドさせる容易な作業で、上側のハウジング６のストッパー部８４を下側のハウジング６の上壁９の後端面９ｂに当接させることとなり、上下に積層されたハウジング６を位置決めすることができるコネクタ１を提供することができる。
【００５６】
また、積層されるハウジング６は同一構造なので、成形金型の開発コストを抑えることができ、安価に製造することができるコネクタ１を提供することができる。
【００５７】
また、ハウジング６の上壁９には係止部８５が設けられ、ハウジング６の下壁８には第１係止受け部９１が設けられているので、上側のハウジング６を下側のハウジング６に対してスライドさせるのみの作業で、新たに作業を追加せずとも、上側のハウジング６における、下側のハウジング６の後端面２ｂから離れる方向への移動を規制することができる。
【００５８】
また、係止部８５の後端側には第１案内面９２が設けられているので、該第１案内面９２によって係止部８５が第１係止受け部９１に案内されることにより、係止部８５が第１係止受け部９１に確実に係止される。また、第１案内面９２が設けられていることにより、上側のハウジング６が下側のハウジング６に対して小さな力でスライドされることとなり、作業性の向上を図ることができる。
【００５９】
また、上方に突出した横リブ１７及び下方に突出した一対の縦リブ８８が設けられているので、同一構造のハウジング６を上下に積層した際に、各ハウジング６における左右方向Ｘの傾きを抑制し、互いに積層された上側のハウジング６及び下側のハウジング６のがたつきを防止することができる。また、横リブ１７と一対の縦２リブ８８との接触面積が小さくなり、上側のハウジング６が下側のハウジング６に対して小さな力でスライドされるので、作業性の向上を図ることができる。また、同一構造のハウジング６を上下に積層した際に、横リブ１７と一対の縦リブ８８とは互いに近付く方向に突出していることとなり、横リブ１７と一対の縦リブ８８とのうちいずれか一方のみしかない場合よりも低背化、即ちハウジング６の小型化を図ることができる。
【００６０】
また、コネクタ１と、該コネクタ１の下方に積層された板状の支持部材としてのブラケット２と、互いに積層されたコネクタ１及び支持部材の外周に巻かれる結束部材としてのバンドクランプ３と、を備え、ブラケット２は、その厚み寸法がレール部７１の上下方向Ｚの寸法と同じに形成され、かつ、その幅寸法が一対のレール部７１の左右方向Ｘの寸法と同じに形成されているので、ハウジング６の一対のアーム部７２がブラケット２の一対のレール部７１を挟み、ハウジング６をブラケット２に対してスライドさせる容易な作業で、ハウジング６のストッパー部８４がブラケット２の長手方向Ｙの後端面２ｂに当接されることとなり、互いに積層されたハウジング６とブラケット２とを位置決めすることができるコネクタの支持部材への固定構造１０を提供することができる。
【００６１】
また、ブラケット２には、ハウジング６の係止部８５に係止する第２係止受け部２２が設けられているので、上側のハウジング６を下側のハウジング６に対してスライドさせるのみの作業で、新たに作業を追加せずとも、ハウジング６における、ブラケット２の後端面２ｂから離れる方向への移動を規制することができる。
【００６２】
また、ブラケット２には、第２係止受け部２２の後端側に第２案内面２３が設けられているので、該第２案内面２３によって係止部８５が第２係止受け部２２に案内されることにより、係止部８５が第２係止受け部２２に確実に係止される。また、第２案内面２３が設けられていることにより、ハウジング６がブラケット２に対して小さな力でスライドされることとなり、作業性の向上を図ることができる。
【００６３】
また、ブラケット２には、くびれ部２１が設けられ、バンドクランプ３がくびれ部２１に巻かれているので、バンドクランプ３がブラケット２の長手方向Ｙに位置ずれされることがなくなり、作業性の向上を図ることができる。
【００６４】
なお、上述した実施形態では、２つのハウジング６が積層されて固定されているが、本発明はこれに限ったものではなく、１つのハウジング６がブラケット２に固定されても良く、２以上のハウジング６が積層されて固定されても良い。
【００６５】
また、前述した実施形態は本発明の代表的な形態を示したに過ぎず、本発明は、実施形態に限定されるものではない。即ち、本発明の骨子を逸脱しない範囲で種々変形して実施することができる。
【符号の説明】
【００６６】
１  コネクタ
１０  コネクタの支持部材への固定構造
２  ブラケット（支持部材）
２ｂ  ブラケットの後端面
３  バンドクランプ（結束部材）
６  ハウジング
７  一対の側壁（両側壁）
８  下壁
９  上壁
９ｂ  上壁の後端面
１７  横リブ（第１リブ）
２１  くびれ部
２２  第２係止受け部
２３  第２案内面
７１  一対のレール部
７２  一対のアーム部
８４  ストッパー部
８５  係止部
８８  一対の縦リブ（一対の第２リブ）
９１  第１係止受け部
９２  第１案内面
【図１】
0005813419.tif 000002
【図２】
0005813419.tif 000003
【図３】
0005813419.tif 000004
【図４】
0005813419.tif 000005
【図５】
0005813419.tif 000006
【図６】
0005813419.tif 000007
【図７】
0005813419.tif 000008
【図８】
0005813419.tif 000009
【図９】
0005813419.tif 000010
【図１０】
0005813419.tif 000011
【図１１】
0005813419.tif 000012